(57)【特許請求の範囲】
【請求項１】
紙ろ過器、活性炭ろ過器、膜ろ過器及びポンプを含み、これらの構成要素を連通する配管によって接続されてなる浄水器が、前記各構成要素に分解可能に構成され、
前記紙ろ過器は、多孔質の円筒状支持部材と、
該円筒状支持部材に巻き付けられる外側ろ紙と、
該外側ろ紙を前記円筒状支持部材に巻き付けた状態で収納可能な有底円筒状の、円筒壁に通水スリットが形成されたハウジングと、
該ハウジングの開口部をふさぐと共に該ハウジング内部と連通する開口部を中央部に有する蓋と、
該蓋の内側から前記開口部に対し着脱可能に接続され、前記円筒状支持部材の中央穴部に挿入される、管壁に通水スリットが形成された集水管とを含むことを特徴とする携行型浄水キット。
【請求項２】
前記外側ろ紙は、前記円筒状支持部材の長さより長く、前記円筒状支持部材の両端部から中央孔部へと折り込まれる態様で、前記ハウジング内に収納されることを特徴とする請求項１記載の携行型浄水キット。
【請求項３】
前記集水管に巻き付けられる内側ろ紙を含むことを特徴とする請求項１又は２記載の携行型浄水キット。
【請求項４】
前記内側ろ紙は、前記集水管の長さより長く、前記蓋の開口に接続される前記集水管の端部とは反対側の端部に余らせるようにして、前記集水管に巻き付けられ、前記集水管の反対側の端部から集水管内部に折り込まれる態様で、前記集水管と共に前記円筒状支持部材の中央穴部に挿入され、前記集水管の前記内側ろ紙が折り込まれた端部が、前記ハウジングの底面に当接することを特徴とする請求項３記載の携行型浄水キット。
【請求項５】
前記外側ろ紙は前記円筒状支持部材に対して１層から２層の間で巻きつけられ、前記内側ろ紙は、前記集水管に対して２層から３層の間で巻き付けられていることを特徴とする請求項３又は４記載の携行型浄水キット。
【請求項６】
前記外側ろ紙および／又は前記内側ろ紙は、パルプとＰＥＴの混繊維からなり、熱ローラにより加熱・加圧処理がされ、該処理後の厚みが３０〜７０μｍであり、表面に撥水処理がされていないことを特徴とする請求項１から５のいずれか１項記載の携行型浄水キット。
【請求項７】
前記ハウジングの底部外面から空気流入プラグが突出し、前記ハウジングの底部内面の、少なくとも前記ハウジングの円筒壁内面に沿った位置に、前記空気流入プラグから導入された空気を噴出する、噴出孔が形成されていることを特徴とする請求項１から６のいずれか１項記載の携行型浄水キット。
【請求項８】
前記空気流入プラグに対し、常時接続されるサブポンプを備えることを特徴とする請求項７記載の携行型浄水キット。
【請求項９】
前記紙ろ過器、前記ポンプ、前記活性炭ろ過器及び前記膜ろ過器が、この順番で、前記配管によって直列に接続されて、浄水器が構成されることを特徴とする請求項１から８のいずれか１項記載の携行型浄水キット。
【請求項１０】
背負いストラップ、ハンドル及びキャスターの少なくとも１つを備えるキャリーケースに、前記各構成要素の一部又は全部が分離した状態で収納されていることを特徴とする請求項１から９のいずれか１項記載の携行型浄水キット。
【発明の詳細な説明】
【技術分野】
【０００１】
本発明は、携行型浄水キットに関するものである。
【背景技術】
【０００２】
近年の防災意識の高まりを受けて、緊急時の水の確保に大きな関心が集まっている。本出願人らは、水の浄化に関して鋭意研究を進めており、上記要請に対応した、携行型浄水キットを開発している。この携行型浄水キットは、電力等の動力源が不要な手動式の浄水器を、携帯性に優れるように分解し、使用時には容易に組み立て可能に構成したものである。具体的な構成としては、精密ろ過（ＭＦ）膜、限外ろ過（ＵＦ）膜又は逆浸透（ＲＯ）膜等を使用し、これらろ過膜への水の供給を、手動ポンプで行なうようにしたことで、災害時はもちろんのこと、レジャー目的、軍用装備品等、様々な用途に適合するものとなっている（例えば、特許文献１）。
【先行技術文献】
【特許文献】
【０００３】
【特許文献１】特開２０１０−２２１２０６号公報
【発明の概要】
【発明が解決しようとする課題】
【０００４】
上記の携行型浄水キットは、手動式の浄水器を組立分解可能に構成したキットであって、各構成要素を分離した状態で携行用ケース内に収容可能としたものである。そして、浄化する水源の懸濁物質として含まれる微細粒子、溶存性有機物、藻類及び一般細菌等の除去が可能で、長期に亘り、活性炭筒や膜ろ過器の目詰まりが生じ難く、かつ、取扱いやメンテナンスの容易性を考慮したものとなっている。又、この携行型浄水キットは、膜ろ過器等にかかる水量負荷を略均一に保持し得るように機能するための、砂ろ過筒を備えることで、手動ポンプの脈動の低減を可能としている。更に、紙フィルターカートリッジを用いた前処理装置を備え、これによって小粒子を補足することにより、砂ろ過筒や膜ろ過装置のろ過能力の低下を防ぎ、長時間にわたって安定した水ろ過が可能となっている。一方、前処理装置の構成が複雑で、メンテナンスが容易ではなく、又、コストの上昇を招く点で、改良の余地があった。
本発明は、上記のごとき携行型浄水キットの、さらなる使い勝手の向上を図ることにある。又、携行型浄水キットにより構成される浄水器に必要なろ過能力を確保しつつ、紙フィルターカートリッジを用いた前処理装置の構成を簡素化することにある。
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）紙ろ過器、活性炭ろ過器、膜ろ過器及びポンプを含み、これらの構成要素を連通する配管によって接続されてなる浄水器が、前記各構成要素に分解可能に構成され、前記紙ろ過器は、多孔質の円筒状支持部材と、該円筒状支持部材に巻き付けられる外側ろ紙と、該外側ろ紙を前記円筒状支持部材に巻き付けた状態で収納可能な有底円筒状の、円筒壁に通水スリットが形成されたハウジングと、該ハウジングの開口部をふさぐと共に該ハウジング内部と連通する開口部を中央部に有する蓋と、該蓋の内側から前記開口部に対し着脱可能に接続され、前記円筒状支持部材の中央穴部に挿入される、管壁に通水スリットが形成された集水管とを含む携行型浄水キット（請求項１）。
【０００７】
本項に記載の携行型浄水キットは、紙ろ過器、活性炭ろ過器、膜ろ過器及びポンプを含み、これらが配管によって接続されることで浄水器が構成されるものである。
紙ろ過器は、スポンジ等の多孔質材料で構成される円筒状支持部材の外周に、外側ろ紙を巻き付け、これらが有底円筒状のハウジングに収納される。又、蓋の内側から開口部に対し着脱可能に接続される集水管が、ハウジングに収納された円筒状支持部材の中央孔部に挿入され、ハウジングの開口部が蓋によって塞がれることで、円筒状支持部材、集水管及びこれらを覆う外側ろ紙が、ハウジング内に保持される。
【０００８】
又、紙ろ過器の集水管の管壁にも通水スリットが形成されていることから、紙ろ過器を水源に直接水没させて、紙ろ過器自体を集水口として用いるものである。そして、ハウジングの通水スリットによって、被処理水から、比較的大きな異物、例えば、木の葉、小枝、ビニール片等の夾雑物を除去するものである。
ハウジングの円筒壁の通水スリットによって、夾雑物が除去されハウジング内に進入した原水は、更に、外側ろ紙によってろ過され、通水性に優れた円筒状支持部材を通過する。そして、集水管の通水スリットを介して、集水管から集水されるものである。すなわち、本項に係る紙ろ過器は、ハウジングの通水スリットと、外側ろ紙とで、多重の濾過構造を構成するものである。又、円筒状支持部材によって、外側ろ紙は不用意に潰れたり折れ曲がったりすること無く、ハウジング内で、ろ過に適した形状が維持されるものとなる。
【０００９】
又、紙ろ過器のろ紙の交換を行なう際には、ハウジングから蓋を取り外し、この際、蓋と共に集水管を円筒状支持部材から引き抜く。
続いて、ハウジングから円筒状支持部材と共に外側ろ紙を取り出して、円筒状支持部材に巻き付けられた外側ろ紙を取り去り、新しい外側ろ紙を巻き付ける。
そして、各要素を再び組付けることで、紙ろ過器の所望のろ過性能が回復するものである。
【００１０】
（２）上記（１）項において、前記円筒状支持部材に巻き付けられる外側ろ紙は、前記円筒状支持部材の長さより長く、前記円筒状支持部材の両端部から中央孔部へと折り込まれる態様で、前記ハウジング内に収納される携行型浄水キット（請求項２）。
本項に記載の携行型浄水キットは、円筒状支持部材の長さより長い外側ろ紙が、円筒状支持部材の両端部から中央孔部へと折り込まれることで、外側ろ紙及び円筒状支持部材の弾性と両者間に生ずる摩擦力とにより、外側ろ紙が円筒状支持部材に固定されるものである。又、集水管が、ハウジングに収納された円筒状支持部材の中央孔部に挿入され、ハウジング内に収納されることで、集水管と外側ろ紙とが当接して両者間に緩やかなシールがなされるものである。特に、円筒状支持部材が、スポンジ等の弾性を有する部材で構成されている場合には、円筒状支持部材の弾性変形によって、外側ろ紙及び集水管は、円筒状支持部材に対してより確実に固定されるものとなる。
【００１１】
（３）上記（１）（２）項において、前記集水管に巻き付けられる内側ろ紙を含む携行型浄水キット（請求項３）。
本項に記載の携行型浄水キットは、原水をろ過するろ紙として、更に集水管に巻き付けられる内側ろ紙を含むものである。この内側ろ紙が巻き付けられた集水管が、ハウジングに収納された円筒状支持部材の中央孔部に挿入され、内側ろ紙が、円筒状支持部材に巻き付けられた外側ろ紙と接触する態様で、ハウジング内に収納されることで、内側ろ紙と外側ろ紙との間に、緩やかなシールがなされるものである。特に、円筒状支持部材が、スポンジ等の弾性を有する部材で構成されている場合には、円筒状支持部材の弾性変形によって、内側ろ紙、外側ろ紙及び集水管は、円筒状支持部材に対してより確実に固定されるものとなる。なお、紙ろ過器のろ紙の交換を行なう際には、ハウジングから蓋を取り外し、この際、蓋と共に集水管を円筒状支持部材から引き抜き、新しい内側ろ紙を巻き付けるものである。
そして、ハウジングの円筒壁の通水スリットによって、夾雑物が除去されハウジング内に進入した原水は、外側ろ紙によってろ過された後、更に内側ろ紙によってもろ過され、集水管の通水スリットを介して、集水管から集水されるものである。すなわち、本項に係る紙ろ過器は、ハウジングの通水スリットと、ろ紙とで、３重の濾過構造を構成するものである。
【００１２】
（４）上記（３）項において、前記内側ろ紙は、前記集水管の長さより長く、前記蓋の開口に接続される前記集水管の端部とは反対側の端部に余らせるようにして、前記集水管に巻き付けられ、前記集水管の反対側の端部から集水管内部に折り込まれる態様で、前記集水管と共に前記円筒状支持部材の中央穴部に挿入され、前記集水管の前記内側ろ紙が折り込まれた端部が、前記ハウジングの底部内面に当接する携行型浄水キット（請求項４）。
本項に記載の携行型浄水キットは、前記集水管の長さより長い内側ろ紙が、蓋の開口に接続される集水管の端部とは反対側の端部から集水管内部に折り込まれることで、内側ろ紙及び集水管の間に生ずる摩擦力により、内側ろ紙が集水管に固定されるものである。又、集水管の内側ろ紙が折り込まれた端部と、ハウジングの底部内面との間に内側ろ紙を介在させて、この端部を塞ぐものである。そして、外側ろ紙を迂回した原水が、直接的に、この端部から集水管に浸入することを防ぐものである。
【００１３】
（５）上記（３）（４）項において、前記外側ろ紙は前記円筒状支持部材に対して１層から２層の間で巻きつけられ、前記内側ろ紙は、前記集水管に対して２層から３層の間で巻き付けられている携行型浄水キット（請求項５）
本項に記載の携行型浄水キットは、外側ろ紙が、円筒状支持部材に対して１層から２層の間で巻きつけられる（例えば、１巻き半）ことで、必要十分なろ過能力を確保し、かつ、ろ紙の使用量を必要最小限に抑えるものである。又、紙ろ過器のろ紙の交換を行なう際の、円筒状支持部材に対するろ紙の着脱を容易にするものである。一方、内側ろ紙は、集水管に対して２層から３層の間で巻き付けられる（例えば、２巻き半）。これにより、内側ろ紙の使用量を必要最小限に抑えつつ、内側ろ紙が多重に重なることで、内側ろ紙の見かけ上の目の細かさをより細かくし、内側ろ紙による異物の補足率を高めるものである。
【００１４】
（６）上記（１）から（５）項において、前記外側ろ紙および／又は前記内側ろ紙は、パルプとＰＥＴの混繊維からなり、熱ローラにより加熱・加圧処理がされ、該処理後の厚みが３０〜７０μｍであり、表面に撥水処理がされていない携行型浄水キット（請求項６）。
本項に記載の携行型浄水キットは、紙ろ過器の、外側ろ紙および／又は内側ろ紙が、パルプ１００％の素材ではなく、パルプとＰＥＴ等の合成樹脂材料との混繊維で構成されるものであり、合成樹脂材料が含まれることで強度が向上するものである。特にパルプとＰＥＴが約１対１の比率（重量比）で含まれる混繊維である場合には、切断強度が増す点で好ましいものとなる。また、ＰＥＴ等の合成樹脂材料との混繊維にすることで熱溶着ができるため、必要な形状への加工等も容易となる。
【００１５】
又、外側ろ紙および／又は内側ろ紙に、熱ロールによる加熱・加圧処理が行われていることが好ましい。外側ろ紙および／又は内側ろ紙に熱ロールによる加熱・加圧処理が施されていることで、ろ過速度を抑止する混繊維の毛羽立ちを低減し得るので、ろ過速度の向上が図られるものとなる。更に、熱ロールによる処理後のろ紙の厚さが、３０〜７０μｍ程度であることが好ましい。外側ろ紙および／又は内側ろ紙の厚さが上記範囲にあることで、嵩張りがなく紙ろ過器をコンパクトにし得るので携行に便利であると共に、十分なろ過能力を保持しつつ、ろ過抵抗を低減するものとなる。ろ紙の厚さがより薄いほど、ろ過抵抗を抑え、透水性能を高めるものとなる。
そして、外側ろ紙および／又は内側ろ紙は、撥水処理をしていない素材であることにより、撥水処理を行っている素材に比べ、ろ過速度の向上が図られるものともなる。なお、外側ろ紙および／又は内側ろ紙の目付けを２０〜４０ｇ／ｍ２程度とすることで、ろ過速度と懸濁物質除去性のバランスに優れるものともなる。
【００１６】
（７）上記（１）から（６）項において、前記ハウジングの底部外面から空気流入プラグが突出し、前記ハウジングの底部内面の、少なくとも前記ハウジングの円筒壁内面に沿った位置に、前記空気流入プラグから導入された空気を噴出する、噴出孔が形成されている携行型浄水キット（請求項７）。
本項に記載の携行型浄水キットは、ハウジングの底部外面から突出する空気流入プラグに、ポンプ（上記（１）項のポンプとは別のポンプ）を接続して、ハウジング内に空気を送り込むことが可能となっている。そして、空気流入プラグからハウジング内に送り込まれた空気は、ハウジングの底部内面の、少なくともハウジングの円筒壁内面に沿った位置に設けられた、噴出孔から噴出することで、ハウジングの通水スリット及び外側ろ紙に詰まった異物を除去、洗浄するものである。
【００１７】
（８）上記（７）項において、前記空気流入プラグに対し、常時接続されるサブポンプを備えるサブポンプを備える携行型浄水キット（請求項８）。
本項に記載の携行型浄水キットは、ハウジング底部外面から突出する空気流入プラグに対して、サブポンプによってハウジング内に空気を送り込むものである。本携行型浄水キットの使用時には、空気流入プラグにサブポンプが常時接続されることで、紙ろ過器のハウジングの通水スリット及び外側ろ紙に詰まった異物を除去、洗浄を、常時、適切なタイミングで行うことを可能とするものである。又、空気流入プラグがサブポンプに常時接続されることで、空気流入プラグからハウジング内に、原水が不用意に流入することもない。
【００１８】
（９）上記（１）から（８）項において、前記紙ろ過器、前記ポンプ、前記砂ろ過器、前記活性炭ろ過器及び前記膜ろ過器が、この順番で、前記配管によって直列に接続されて、浄水器が構成される携行型浄水キット（請求項９）。
本項に記載の携行型浄水キットは、紙ろ過器、ポンプ、活性炭ろ過器及び膜ろ過器が、この順番で配管によって直列に接続されて、浄水器が構成されるものである。この浄水器によって浄水化し得る被処理水としては、緊急時等に飲料水化可能な水であれば特に限定されず、例えば、人工池、プール、池、湖沼、小川、浴槽水等が上げられる。
【００１９】
（１０）上記（１）から（９）項において、背負いストラップ、ハンドル及びキャスターの少なくとも１つを備えるキャリーケースに、前記各構成要素の一部又は全部が分離した状態で収納されていることを特徴とする請求項１から９のいずれか１項記載の携行型浄水キット（請求項１０）。
本項に記載の携行型浄水キットは、各構成要素の一部又は全部が分離可能に構成され、ハンドル、背負いストラップ及びキャスターを備えるキャリーケースに、各構成要素が分離状態で収納されることで、コンパクトにまとめられる。そして、運搬時の状況に応じて、キャリーケースの背負いストラップ、ハンドル及びキャスターのいずれかを駆使し、背負う、持つ、引く等、持ち運びの際の高い自由度を確保するものである。
【００２０】
（１１）上記（１）から（１０）項において、前記活性炭ろ過器の前処理手段として砂ろ過器を備え、該砂ろ過器、前記活性炭ろ過器及び前記膜ろ過器の各々がろ過筒を備え、該ろ過筒の下端部がベースに対して着脱自在なカートリッジとして構成されており、各ろ過筒の下端部に被処理水を導入する導入口と、処理水を取り出す取り出し口とを備え、各導入口及び取り出し口が、前記ベース内に設けられた配管によって直列に接続されることで、ろ過装置アッセンブリーを構成するものである携行型浄水キット。
本項に記載の携行型浄水キットは、砂ろ過器、活性炭ろ過器及び膜ろ過器の、各ろ過筒の下端部に設けられた各導入口及び取り出し口が、ベース内に設けられた配管によって直列に接続され、ろ過装置アッセンブリーを構成することで、主要部分であるろ過装置群の取り扱い性を高めている。又、砂ろ過器、活性炭ろ過器及び膜ろ過器がカートリッジとして構成され、ベースに対して着脱自在となっていることにより、各単体での取り扱い性及び交換の作業性を高めるものである。
【００２１】
（１２）上記（１１）項において、前記砂ろ過器のろ過層として石英砂層を有し、該石英砂層が、天然の母岩を破砕して得られる破砕石英砂からなり、５００〜８５０μｍの粒径のものを重量で全体の５０％以上、好ましくは６０〜９０％含む携行型浄水キット。
砂ろ過器のろ過層として、一般的な海砂、川砂、山砂のように、角が無く表面が平滑なろ材を使用した場合には、ろ過層全体の流路間隔がほぼ同一の単純構成となるので、比較的大きな縣濁物はろ過層上部の表層部で細くされ、微小縣濁物はろ過層を通過してしまう。  一方、本項に記載の携行型浄水キットは、砂ろ過器のろ過層として石英砂層を有し、該石英砂層が、天然の母岩を破砕して得られる破砕石英砂からなるものである。すなわち、天然の母岩（珪石等）を人工的に粉砕し、篩い分けして得られる破砕石英砂は、表面が荒れているため、粒間に大小種々の間隔が生じ、複雑な流路形態が構築されるので、ろ過層全域で種々の大きさの縣濁物を補足し得るものとなる。よって砂ろ過器及びそれよりも後段に位置するろ過器が配置される場合に、それら膜ろ過器等の目詰まりの発生を起こし難くするものとなる。又、破砕石英砂の５００〜８５０μｍの粒径のものを重量で全体の５０％以上、好ましくは６０〜９０％含むことで、縣濁物を効率よく排除し得ると共に、砂ろ過器の目詰まりも生じ難いものとなる。
【００２２】
（１３）上記（１１）（１２）項において、前記砂ろ過器によるろ過後のろ過水濁度が１度以下である携行型浄水キット。
本項に記載の携行型浄水キットは、砂ろ過器によるろ過後のろ過水濁度が１度以下であることにより、砂ろ過器よりも後段に活性炭ろ過器や膜ろ過器が配置される場合に、これらの目詰まりが生じ難くなり、長期に渡るろ過能力の確保が図られるものとなる。
【００２３】
（１４）上記（１）から（１３）項において、前記ポンプが往復動式ポンプ等の吐出脈動を生じるポンプであり、前記砂ろ過器を構成するろ過筒内の前記ろ過層の上方に、空気層を備え、前記ろ過筒の下端部に設けられた、被処理水を導入する導入口から、前記空気層への送水管路を備えている携行型浄水キット。
本項に記載の携行型浄水キットは、砂ろ過器のろ過筒内の前記ろ過層の上方に空気層を備え、ろ過筒の下端部に設けられた被処理水を導入する導入口から、送水管路によって空気層へと被処理水を送るものである。そして、ポンプにより送水される被処理水の脈動を、空気層にて低減することで、砂ろ過器よりも後段に活性炭ろ過器や膜ろ過器が配置される場合に、これらにかかる負荷を軽減し、長期に渡るろ過能力の確保が図られるものとなる。
【発明の効果】
【００２４】
本発明はこのように構成したので、携行型浄水キットの、さらなる使い勝手の向上を図ることが可能となる。又、携行型浄水キットにより構成される簡易浄水装置ろ過能力を確保しつつ、紙フィルターカートリッジを用いた前処理装置の構成を簡素化することが可能となる。
【図面の簡単な説明】
【００２５】
【図１】本発明の実施の形態に係る携行型浄水キットを組み立てることで構成される、手動式浄水器を示す模式図である。
【図２】図１に示される手動式浄水器を分解した状態で格納するキャリーケースを、様々な方向から示す立体図であり、（ａ）は正面方向斜視図、（ｂ）は背負いストラップを格納した状態における背面方向斜視図、（ｃ）底部斜視図、（ｄ）は背負いストラップを露出させた状態を部分的に示す背面方向斜視図である。
【図３】本発明の実施の形態に係る手動式浄水器を構成する紙ろ過器の、ろ紙の交換手順を示す説明図であり、（ａ）は分解開始の様子を、（ｂ）はろ紙を巻き付けた円筒状支持部材から集水管を取り外す状態を、（ｃ）は円筒状支持部材からろ紙を外す状態を、（ｄ）は紙フィルター筒から新しいろ紙を取り出す様子を、（ｅ）は円筒状支持部材に新しいろ紙を巻き付け、固定する様子を、（ｆ）は、組み立ての様子を示している。
【図４】本発明の別の実施の形態に係る携行型浄水キットを組み立てることで構成される、手動式浄水器を示す模式図である。
【図５】図４に示される実施の形態に係る砂ろ過器及び砂ろ過器の洗浄手段を抜粋して示したものである。
【図６】図５に示される砂ろ過器の、底部の構造を示す斜視図であり、（ａ）は底部抜粋図、（ｂ）は底部を構成する封止プレートのみ示したものである。
【図７】図５に示される砂ろ過器の、蓋及び集水管を示す斜視図であり、（ａ）は蓋から集水管を取り外した状態を、（ｂ）は集水管に内側ろ紙を巻く前の様子を、（ｃ）は集水管に内側ろ紙を巻き付けた状態を示すものである。
【発明を実施するための形態】
【００２６】
以下、本発明を実施するための最良の形態を添付図面に基づいて説明する。
本発明の実施の形態に係る携行型浄水キットは、図１に示されるような、手動式の浄水器１０を組立分解可能に構成したキットであって、紙ろ過器１２、ポンプ１４、砂ろ過器１６、活性炭ろ過器１８及び膜ろ過器２０を備えている。砂ろ過器１６、活性炭ろ過器１８及び膜ろ過器２０は、各々、下端部がベース２２に対して着脱自在なろ過筒内に格納された、カートリッジとして構成されている。又、各下端部には、被処理水を導入する導入口と、処理水を取り出す取り出し口とを備え、各導入口及び取り出し口が、ベース２２内に設けられた配管によって直列に接続されることで、ろ過装置アッセンブリー２４を構成するものである。更に、これら砂ろ過器１６、活性炭ろ過器１８及び膜ろ過器２０の各導入口及び取り出し口と、ベース２２内に設けられた配管との接合部には、Ｏリング等適切なパッキンが設けられており、各々、ベース２２に対して着脱自在としつつ接合部の漏水防止シールがなされている。
【００２７】
又、紙ろ過器１２、ポンプ１４、ろ過装置アッセンブリー２４の間を、ホース等の柔軟性を有する配管３０、３２によって接続するものである。配管３０の一端部は紙ろ過器１２の、後述する集水管６２（図２参照）と連通し、他端部がポンプ１４に対して着脱自在、かつ、装着状態でのシールが確保される適切な構成（例えば、ホースの弾性によるしまり嵌め、或いは、着脱プラグ等。以下同様。）を有している。又、配管３０には、位置調整可能にフロート２８が装着されている。フロート２８には、例えば発泡スチロール等が用いられる。配管３２は、一端部をポンプ１４に、他端部をベース２２に対して着脱自在、かつ、装着状態でのシールが確保される適切な構成を有している。
又、ベース２２には、最終的に膜ろ過器２０でろ過された浄化水を吐出するための蛇口として、パイプ２６が設けられ、このパイプ２６は、使い勝手を考慮して、角度変更可能にベース２２に固定されている。又、膜ろ過器２０を構成するカートリッジには、使用開始時及び使用終了時等に使用される、エア抜きパイプ３４及びエア抜きバルブ３６が設けられている。
なお、図示は省略するが、浄水器１０を構成する各要素間の配管に、適宜、圧力計を配置して送水圧を監視することにより、各部の目詰まり等の不具合を、容易に把握できるようにすることも可能である。
【００２８】
そして、本発明の実施の形態に係る携行型浄水キットは、浄水器１０を構成する、紙ろ過器１２、ポンプ１４、ろ過装置アッセンブリー２４、配管３２を、各々に分解した状態で収納するための、図２に示されるキャリーケース３８を備えている。
キャリーケース３８は、背負いストラップ４０、ハンドル４２及びキャスター４４を備えている。このうち、背負いストラップ４０は、図２（ｃ）に示される線ファスナー４６によって、開閉自在なカバーポケット４８内に収容されている。そして、線ファスナー４６を開放し、図２（ｃ）に示されるようにカバーポケット４８を裏返すことにより、背負いストラップ４０が露出して、背負いストラップ４０が使用可能となる。なお、カバーポケット４８は、図２（ｃ）に示されるように裏返した状態で、面ファスナー５０によってキャリーケース３８の底面に固定可能となっている。又、カバーポケット４８は、この状態で、キャスター４４を覆い隠すキャスターカバー５２を具備している。
又、ハンドル４２は、伸縮自在な収納式ハンドルとなっている。キャスター４４は、ハンドル４２を把持して引き歩く際に、接地するように、キャリーケース３８の底面の二箇所に設けられている。
【００２９】
続いて、図１の浄水器１０を構成する各構成要素について、詳しく説明する。
紙ろ過器１２は、図３（ｃ）（ｅ）に部分的に示される多孔質の円筒状支持部材５４と、円筒状支持部材５４の長さより長く、円筒状支持部材５４の外周に巻きつけられる、長方形に成型されたろ紙（外側ろ紙）５６とを備えている。ここで用いられるろ紙５６は、パルプ１００％の素材ではなく、パルプとＰＥＴ等の合成樹脂材料との混繊維で構成されるものであり、合成樹脂材料が含まれることで強度が向上するものである。特にパルプとＰＥＴが約１対１の比率（重量比）で含まれる混繊維である場合には、切断強度が増す点で好ましいものとなる。また、ＰＥＴ等の合成樹脂材料との混繊維にすることで熱溶着ができるため、必要な形状への加工等も容易となる。
【００３０】
又、ろ紙５６に熱ロールによる加熱・加圧処理が施されていることで、ろ過速度を抑止する混繊維の毛羽立ちを低減し得るので、ろ過速度の向上が図られるものとなる。更に、熱ロールによる処理後のろ紙５６の厚さが、３０〜７０μｍ程度であることで、嵩張りがなく紙ろ過器１２をコンパクトにし得るので、携行に便利であると共に、十分なろ過能力を保持しつつ、ろ過抵抗を低減するものとなる。
そして、ろ紙５６は、撥水処理をしていない素材であることにより、撥水処理を行っている素材に比べ、ろ過速度の向上が図られるものともなる。なお、ろ紙５６の目付けを２０〜４０ｇ／ｍ２程度とすることで、ろ過速度と懸濁物質除去性のバランスに優れるものともなる。
【００３１】
ろ紙５６は、上述のごとく、パルプとＰＥＴの混繊維からなり、熱ローラにより加熱・加圧処理がされ、該処理後の厚みが３０〜７０μｍであり、表面に撥水処理がされていないものが用いられるが、紙ろ過器１２に要求されるろ過性能が得られるものであれば、これに限定されない。
本例では、ろ紙５６の厚みは３５μｍのものが用いられる。又、ろ紙５６の平均孔径を２８μｍとすることで、濁質除去の性能を高めている。又、空隙率５１％とすることで、ろ過抵抗を低減し、透水性能を高めている。更に、目付けを略１５ｇ／ｍ２とすることで、ろ紙のコストを低減させている。
又、ろ紙の使用を長時間にわたって可能とするために、ろ紙の線速度ＬＶ（単位時間あたりにろ過筒の断面積を通過する水の速度で、流速をろ過筒の断面積で割ることで計算される。）は、清水では線束（ＬＶ）で５〜１５ｍ３／ｍ２／日程度とすることが望ましい。
【００３２】
又、紙ろ過器１２は、図３（ａ）（ｆ）に示されるように、ろ紙５６を円筒状支持部材５４に巻き付けた状態で収納可能な、有底円筒状のハウジング５８と、ハウジング５８の開口部をふさぐ蓋６０とを備えている。ハウジング５８の開口部近傍の円筒内周面には雌ねじが形成され、蓋６０の円筒外周面にはハウジング５８の雌ねじと螺合する雄ねじが形成されており、これらによってハウジング５８と蓋６０とはねじ結合される。
又、蓋６０の中央部に形成された開口部に対し、着脱自在に接続される集水管６２（図３（ｂ）（ｆ）参照）を含んでいる。この集水管６２は、円筒状支持部材５４の中央穴部５４ａ（図３（ｂ）（ｅ）参照）に挿入されるものである。なお、ハウジング５８、蓋６０及び集水管６２は、ＡＢＳ樹脂やＰＶＣ樹脂等の合成樹脂により構成されており、各々、ブロー成型、押し出し成型等によって一体成型することが可能である。
【００３３】
更に、ハウジング５８の少なくとも円筒状の外壁部には、図３（ａ）（ｆ）に示されるように、長円形の通水スリット５８ａが形成されている。図示の例では、円筒状のハウジング５８の外径が１００ｍｍ、長さが２００ｍｍで、通水スリット５８ａの開口幅は、３〜５ｍｍとなっている。
又、集水管６２の、少なくとも、円筒状支持部材５４の中央孔部５４ａに挿入される部分にも、図３（ｂ）（ｆ）に模式的に線状に示された通水スリット６２ａが形成されている。この通水スリット６２ａの開口幅は、１〜３ｍｍとなっている。
【００３４】
そして、図３（ｅ）に示されるように、ろ紙５６は、円筒状支持部材５４に巻きつけられた状態で、その両端部から中央孔部５４ａへと折り込まれ、図３（ｆ）に示されるように、集水管６２に接触する態様で、ハウジング５８内に収納される。多孔質材料で構成される円筒状支持部材５４に、スポンジ等の弾性を有する部材を用いることとすれば、円筒状支持部材５４の中央孔部５４ａに、ろ紙５６が折り込まれ更に集水管６２が挿入されることによって、円筒状支持部材５４及びろ紙５６の弾性を利用して、これら各部材の接続部分に、緩やかなシール構造が構成されることとなる。
なお、本発明者らの検証によれば、円筒状支持部材５４に巻き付けるろ紙は、１〜３層すなわち２重に巻き付けることで、必要十分なろ過能力を発揮するものとなる。
【００３５】
紙ろ過器１２のろ紙５６については、その表面に汚物が増加し、或いは目詰まり等を生じてろ過能力が低下した際には、ろ紙５６の交換を行なうことで、所望のろ過能力を回復させることができる。ろ紙５６の交換作業は、次の手順で行なうことが可能である。
まず、図３（ａ）に示されるように、互いに螺合されたハウジング５８と蓋６０とを相対回転させて、ハウジング５８から蓋６０を取り外す。この際、図３（ｂ）に示されるように、ハウジング５８から、ろ紙５６が巻きつけられた円筒状支持部材５４を引き抜き、更に、集水管６２を円筒状支持部材５４の中央孔部５４ａから引き抜く。或いは、ハウジング５８から蓋６０を取り外し、この際、蓋６０と共に集水管５４を円筒状支持部材５４の中央孔部５４ａから引き抜いた後、ハウジング５８から、ろ紙５６が巻きつけられた円筒状支持部材５４を引き抜く。
【００３６】
続いて、図３（ｃ）に示されるように、円筒状支持部材５４と共にろ紙をハウジングから取り出して、円筒状支持部材５４に巻き付けられたろ紙５６を、取り去る。そして、図３（ｄ）に示されるように、キャリーケース３８にセットとして含まれている、ろ紙収納ケース６４から、新しいろ紙５６を取り出し、図３（ｅ）に示されるように、円筒状支持部材５４に新しいろ紙５６を巻き付ける。この際、円筒状支持部材５４の長さより長いろ紙５６の両端部を、折り込んで、指によって中央孔部５４ａへと挿入する。
その後、図３（ｆ）に示されるように、ろ紙５６を巻きつけた状態の円筒状支持部材５４を、有底円筒状のハウジング５８に挿入し、更に、集水管６２を円筒状支持部材５４の中央穴部５４ａに挿入するようにして、ハウジング５８の開口部に蓋６０を装着する。この際、固定方向へと相対回転させて、ハウジング５８と蓋６０とを互いに螺合させることで、ろ紙５６の交換作業を完了する。
【００３７】
又、図１の浄水器１０のポンプ１４には、往復動式手動ポンプ等の動力源を必要としないポンプが用いられる。往復動式ポンプ（いわゆる往復ポンプ）は、シリンダ（筒）内をピストン又はプランジャが往復して、シリンダ内の容積を変えることにより、液体を吸い込み、送り出す構造を有するポンプである。具体的には、例えば特許第３４５７３０１号公報記載の往復動式ポンプを用いることが可能である。
なお、ポンプ１４は、手動式に限定されるものではなく、当然に、電源が確保される場所で使用する際には、電動ポンプを用いることとしても良い。電動ポンプの場合には、往復動式ポンプに限定されることは無く、被処理水を汲み上げて送水することが可能なものであれば、形式に限定さない。
【００３８】
図１の浄水器１０の、ろ過装置アッセンブリー２４の砂ろ過器１６は、円筒状容器内に、ろ過層として石英砂層１６ａ（図１参照）を有するものが用いられる。そして、石英砂層が天然の母岩を破砕して得られる破砕石英砂からなり、５００〜８５０μｍの粒径のものを重量で全体の５０％以上、好ましくは好ましくは６０〜９０％含むものが望ましい。
この砂ろ過器１６は、ポンプ１４により送水された被処理水（原水）を、活性炭ろ過器１８及び膜ろ過器２０でろ過する際の、前処理手段として用いられるものであり、砂ろ過器１６によるろ過後のろ過水濁度が１度以下であることが望ましい。
【００３９】
又、砂ろ過器１６の、水面積当りのＬＶは、３〜６ｍ３／ｍ２／時程度とすることが望ましい。又、砂ろ過器１６の、容積当りの浄水速度すなわち容積速度ＳＶ（単位時間あたりに原水がろ過層に接触する時間の逆数で表される）は、３０〜５０ｍ３／ｍ２／時程度であることが望ましい。砂ろ過器１６のＬＶ及びＳＶがこのような範囲にあることで、縣濁物の除去性、波動防止、適正設定条件の設定に優れるものとなる。
更に、図示は省略するが、砂ろ過器１６を構成するろ過筒内のろ過層１６ａ（図１参照）の上方に空気層を備え、ろ過筒の下端部に設けられた、被処理水を導入する導入口から、空気層への送水管路を備えており、ろ過時には、上方から下方へと通水されることが好ましい。
【００４０】
活性炭ろ過器１８は、円筒状容器内に活性炭を充填したものであり、特に、充填される活性炭をカートリッジ方式とすることで、災害時等の緊急時の、取り扱い容易性を向上させるものとなる。
膜ろ過器２０は、円筒状容器内に、限外ろ過膜（ＵＦ膜）を収納したものであるが、これを、精密ろ過膜（ＭＦ膜）、ナノろ過膜（ＮＦ膜）又は逆浸透膜等他のろ過膜に置換することとしても良い。
【００４１】
なお、砂ろ過器１６については、円筒状容器内から石英砂層を取り出し、浄化水にて洗浄した後に円筒状容器へと戻すことで、浄化機能を回復させることができる。一方、活性炭ろ過器１８及び膜ろ過器２０については、一定期間の使用の後に、新しいものと交換することで、所定の浄化機能を発揮するものである。
【００４２】
続いて、図１の浄水器１０による、水の浄化手順を以下に例示する。
まず、紙ろ過器１２を水源６６に投入する。この際、水源６６の水面や水底に汚濁物質がたまっているような場合には、それらの汚れを吸収することが無いように、配管３０に設けられたフロート２８の位置を調整し、紙ろ過器１２の水中における位置を適切に設定する。なお、紙ろ過器１２を水源６６に浸水させてからしばらくの間は、紙ろ過器１２が水になじむまで、ろ過作業を行なうことなく放置することが望ましい。
【００４３】
続いて、配管３０をポンプ１４に接続する。そして、ポンプ１４に呼び水を注入して、水が確実に汲み上げられることを確認した後に、ポンプ１４とろ過装置アッセンブリー２４とを、配管３２で接続する。そして、各接続部の接続確認を行なった後に、手動ポンプを操作することで、水源６６の原水が、紙ろ過器１２から吸引される。この際、浄水器１０内の目詰まりの原因となる物質の流入をろ紙５６（図１参照）で遮断し、所望のろ過性能を維持する。そして、砂ろ過器１６では、様々な形状からなる石英砂層１６ａの粒子により、水の流れに変化が生じ、石英砂層１６ａ全体での不純物の補足を行なうことで、殆どの縣濁物質が捕捉される。続いて、活性炭ろ過器１８では、色度成分及び臭気成分が除去される。更に、膜ろ過器２０において、それよりも前段階では除去しきれなかった成分（一般細菌や大腸菌等を含む）が除去され、ベース２２のパイプ２６から、浄化水として供給される。
【００４４】
さて、上記構成をなす本発明の実施の形態によれば、次のような作用効果を得ることが可能である。
本発明の実施の形態に係る携行型浄水キットは、紙ろ過器１２、ポンプ１４、砂ろ過器１６、活性炭ろ過器１８及び膜ろ過器２０が、この順番で配管３０、３２によって接続されることで、浄水器１０が容易に構成されるものである。しかも、浄水器１０は、これら各構成要素に分解可能に構成され、ハンドル４２、背負いストラップ４０及びキャスター４４を備えるキャリーケース３８に、各構成要素が、分解状態で収納されることで、コンパクトにまとめられるものである。そして、運搬時の状況に応じて、キャリーケース３８の背負いストラップ４０、ハンドル４２及びキャスター４４のいずれかを駆使し、背負う、持つ、引く等、持ち運びの際の高い自由度を確保することが可能となる。
【００４５】
又、紙ろ過器１２が、スポンジ等の多孔質材料で構成される円筒状支持部材５４に、円筒状支持部材５４より長いろ紙５６を巻き付け、これらが有底円筒状のハウジング５８に収納されて、ハウジング５８の開口部を蓋６０によって塞いで構成されるものである。そして、蓋６０に固定された集水管６２が、ハウジング５８に収納された円筒状支持部材５４の中央孔部５４ａに挿入される。この構成により、ハウジング５８内の水がろ紙５６によってろ過され、通水性に優れた円筒状支持部材５４を通過して、集水管６２から集水されるものである。この際、円筒状支持部材５４によって、ろ紙５６は不用意に潰れたり折れ曲がったりすること無く、ろ過に適した形状が維持され、円筒状支持部材５４の表面を覆うろ紙５６の全体にわたって、ろ過が行なわれるものとなる。
又、紙ろ過器１２のろ紙５６の交換を行なう際には、ハウジング５８から蓋６０を取り外し、この際、蓋６０と共に集水管６２を円筒状支持部材５４から引き抜き、円筒状支持部材５４と共にろ紙５６をハウジング５８から取り出して、円筒状支持部材５４に巻き付けられたろ紙５６を取り去って、新しいろ紙５６を巻き付けることで、行なうことが可能である。
【００４６】
又、ろ紙５６が円筒状支持部材５４の両端部から中央孔部５４ａへと折り込まれることで、ろ紙５６及び円筒状支持部材５４の両者間に生ずる摩擦力とにより、ろ紙５６が円筒状支持部材５４に固定されるものである。又、集水管６２が、ハウジング５８に収納された円筒状支持部材５４の中央孔部５４ａに挿入され、集水管６２に接触する態様で、ハウジング５８内に収納されることで、集水管６２とろ紙５６とが当接して両者間に緩やかなシールがなされるものである。特に、円筒状支持部材５４が、スポンジ等の弾性を有する部材で構成されている場合には、円筒状支持部材５４の弾性変形によって、ろ紙５６及び集水管６２は、円筒状支持部材５６に対して、より確実に固定されるものとなる。
【００４７】
しかも、ろ紙５６は円筒状支持部材５４に対して１〜３層に巻きつけられることで、必要十分なろ過能力を確保し、かつ、ろ紙５６の使用量を必要最小限に抑えることが可能となる。又、紙ろ過器１２のろ紙５６の交換を行なう際の、円筒状支持部材５４に対するろ紙５６の着脱も、容易となる。そして、円筒状支持部材５４によって、ろ紙５６のろ過に適した形状が維持された状態を維持して、ハウジング５８に対する着脱を簡単かつ確実に行なうことが可能となる。
又、集水管６２の、少なくとも円筒状支持部材５４の中央孔部５４ａに挿入される部分に、通水スリット６２ａが形成されていることにより、ハウジング５８内の水がろ紙５６によってろ過され、通水性に優れた円筒状支持部材５４を通過した後、通水スリット６２ａを介して、集水管６２に集水されるものとなる。
【００４８】
又、本発明の実施の形態に係る携行型浄水キットにより構成される浄水器１０は、紙ろ過器１２のハウジング５８に通水スリット５８ａが形成されていることにより、紙ろ過器１２を水源６６に直接水没させて、紙ろ過器１２自体を集水口として用いることが可能となる。そして、ハウジング５８の通水スリット５８ａによって、被処理水から、比較的大きな異物、例えば、木の葉、小枝、ビニール片等の夾雑物を除去することが可能となる。
【００４９】
又、砂ろ過器１２、活性炭ろ過器１８及び膜ろ過器２０の、各ろ過筒の下端部に設けられた各導入口及び取り出し口が、ベース２２内に設けられた配管によって直列に接続され、ろ過装置アッセンブリー２４を構成することで、主要部分であるこれらろ過装置群１２、１８、２０の取り扱い性を高めている。又、砂ろ過器１２、活性炭ろ過器１８及び膜ろ過器２０がカートリッジとして構成され、ベース２２に対して着脱自在となっていることにより、ろ過装置群１２、１８、２０の各単体での取り扱い性及び交換の作業性を高めることが可能となる。
【００５０】
又、本発明の実施の形態に係る携行型浄水キットにより構成される浄水器１０は、砂ろ過器１６のろ過層１６ａとして石英砂層を有し、該石英砂層が、天然の母岩を破砕して得られる破砕石英砂からなるものである。すなわち、天然の母岩（珪石等）を人工的に粉砕し、篩い分けして得られる破砕石英砂は、表面が荒れているため、粒間に大小種々の間隔が生じ、複雑な流路形態が構築されるので、ろ過層１６ａ全域で種々の大きさの縣濁物を補足し得るものとなる。よって砂ろ過器１６及びそれよりも後段に位置する活性炭ろ過器１８、膜ろ過器２０が配置される場合に、それらの目詰まりの発生を起こし難くするものとなる。又、破砕石英砂の５００〜８５０μｍの粒径のものを重量で全体の５０％以上、好ましくは６０〜９０％含むことで、縣濁物を効率よく排除し得ると共に、砂ろ過器１６の目詰まりも生じ難いものとなる。
そして、砂ろ過器１６によるろ過後のろ過水濁度が１度以下であることにより、砂ろ過器１６よりも後段に位置する活性炭ろ過器１８や膜ろ過器２０の目詰まりが生じ難くなり、長期に渡るろ過能力の確保が図られるものとなる。
【００５１】
続いて、図４から図６を参照しながら、本発明の実施の形態の応用例に係る携行型浄水キットを組み立てることで構成される、浄水器７０について説明する。ここで、図１に示される浄水器１０と同一部分、若しくは相当する部分については、同一符号で示し、詳しい説明を省略する。
図４に示される手動式の浄水器７０は、図１に示される浄水器１０との相違点として、砂ろ過器１６を省略している。すなわち、紙ろ過器１４を通過した被処理水を、図１に示される、活性炭ろ過器１８及び膜ろ過器２０でろ過する際の、前処理手段として用いられる砂ろ過器１６を用いることなく、活性炭ろ過器１８にて有機物や色度成分等を除去し、更に、膜ろ過器２０によって固液分離するものである。膜ろ過器２０に用いられるろ過膜としては、ＭＦ膜、ＵＦ膜、ＲＯ膜等が挙げられる。
【００５２】
又、本応用例では、紙ろ過器１２の洗浄手段７２が設けられている。洗浄手段７２は、例えば自転車用空気入れのようなサブポンプ７４を、ホース７６によって紙ろ過器１２に接続し、サブポンプ７４から紙ろ過器１２に対して空気を送り込むことで、紙ろ過器１２の詰まりを解消するものである。このサブポンプ７４についても、ポンプ１４と同様に、手動式に限定されるものではなく、当然に、電源が確保される場所で使用する際には、電動ポンプを用いることとしても良い。
この洗浄手段７２は、次のような構成を有している。図５、図６に示されるように、紙ろ過器１２のハウジング５８の底部７８の外面からは、空気流入プラグ８０が突出している。図示の例では、空気流入プラグ８０は外周に雄ねじが形成された金属管であり、サブポンプ７４から延びるホース７６の先端部に設けられた連結プラグ７６ａの雌ねじと、螺合することによって密閉連結されるものである。
【００５３】
又、空気流入プラグ８０は、円盤状の封止プレート８２の中央部を貫通するようにして設けられており、封止プレート８２の上面には、空気流入プラグ８０の内筒壁が露出している。そして、封止プレート８２が、ハウジング５８の底部７８の底板８４に対しわずかな隙間を空けて、外側から固定されることにより、ハウジング５８の底部７８は二重底構造を構成している。
そして、ハウジング５８の底部７８の内面を構成する底板８４の、ハウジング５８の円筒壁内面に沿った位置には、噴出孔８６が複数の形成されている。このため、封止プレート８２と底板８４との間に形成されたわずかな隙間を介して、ハウジング５８の内部と、空気流入プラグ８０とが連通している。図示の例では、空気流入プラグ８０の内口径は６ｍｍであり、噴出孔８６の径は２〜３ｍｍで、底板８４の周縁部に沿って、円周方向に８から１０箇所、等間隔で設けられている。
なお、ハウジング５８と底板７８とは互いに溶着されており、底板７８と封止プレート８２とも互いに溶着されている。よって、噴出孔８６からは、流入プラグ７４から導入された空気が噴出し、噴射項８６から噴出した空気は、底部７８から漏れることなく、ハウジング５８内へと供給されるものである。一方、原水６６が、底板７８を介してハウジング５８内に進入することもない。
【００５４】
又、図７（ａ）に示されるように、集水管６２は、本例においても、ハウジング５８の蓋６０の開口部６０ａに対し、蓋６０の内側から着脱可能に接続されている。ハウジング５８の蓋６０の開口部６０ａは円筒状に突出しており、ここに、ホース等の柔軟性を有する配管３０が接続されるものである。そして、この集水管６２にも、ろ紙（内側ろ紙）５６Ｂを巻き付ける。この際、図７（ｂ）に示されるように、内側ろ紙５６Ｂも、集水管６２の長さより長く裁断されている。そして、内側ろ紙５６Ｂは、蓋６０の開口６０ａに接続される集水管６２の端部６２ｂとは反対側の端部６２ｃに余らせるようにして、集水管６２に巻き付けられる。更に、集水管６２の反対側の端部６２ｃから集水管６２内部に折り込まれる（図７（ｃ）参照）。
【００５５】
内側ろ紙５６が巻き付けられた集水管６２は、図３（ｆ）の例と同様に、蓋６０に取り付けられた状態で、円筒状支持部材５４の中央穴部５４ａに挿入される。そして、集水管６２の内側ろ紙５６Ｂが折り込まれた端部６２ｃが、ハウジング５８の底面、すなわち、ハウジング５８の底部７８の底板８４に当接する。
更に、本例においても図３の例と同様に、円筒状支持部材５４に、円筒状支持部材５４より長いろ紙（外側ろ紙）５６を巻き付けて用いるものである。又、外側ろ紙５６と、内側ろ紙５６Ｂとは同一仕様である。そして、本例では、外側ろ紙５６は、円筒状支持部材５４に対して、１巻き半だけ巻き付けられる。一方、内側ろ紙５６Ｂは、集水管６２に対して、２巻き半だけ巻き付けられる。
【００５６】
さて、上記構成をなす本発明の応用例に係る実施の形態によれば、次のような作用効果を得ることが可能となる。
まず、ハウジング５８の円筒壁の通水スリット５８ａによって、夾雑物が除去されハウジング５８内に進入した原水は、外側ろ紙５６（図３（ｂ）参照）によってろ過され、通水性に優れた円筒状支持部材５４（図３（ｅ）参照）を通過する。そして、更に内側ろ紙５６Ｂ（図７（ｃ）参照）によってもろ過され、集水管６２の通水スリット６２ａを介して、集水管６２から集水されるものである。すなわち、ハウジング５８の通水スリット５８ａ、外側ろ紙５６及び内側ろ紙５６Ｂとで、３重の濾過構造が構成されることとなる。
【００５７】
しかも、外側ろ紙５６が、円筒状支持部材５４に対して１巻き半だけ巻き付けられることで、必要十分なろ過能力を確保し、かつ、ろ紙の使用量を必要最小限に抑えることができる。又、紙ろ過器１２のろ紙の交換を行なう際の、円筒状支持部材５４に対する外側ろ紙５６の着脱を容易にすることができる。一方、内側ろ紙５６Ｂは、集水管６２に対して２巻き半だけ巻き付けられることにより、内側ろ紙５６Ｂの使用量を必要最小限に抑えつつ、内側ろ紙５６Ｂが多重に重なることで、内側ろ紙５６Ｂの見かけ上の目の細かさをより細かくし、内側ろ紙５６Ｂによる異物の補足率を高めることが可能となる。
【００５８】
又、集水管６２の長さより長い内側ろ紙５６Ｂが、蓋６０の開口６０ａに接続される集水管６２の端部６２ｂとは反対側の端部６２ｃから集水管６２内部に折り込まれることで、内側ろ紙５６Ｂ及び集水管６２の間に生ずる摩擦力により、内側ろ紙５６Ｂが集水管６２に固定されるものである。又、集水管６２の内側ろ紙５６Ｂが折り込まれた端部６２ｃと、ハウジング５８の底部内面を構成する底板８４との間に内側ろ紙５６Ｂを介在させて、この端部６２ｃを塞ぐものである。よって、ハウジング５８内で外側ろ紙５６を迂回した原水が、直接的に、この端部６２ｃから集水管６２に浸入することを防ぐことが可能となる。
【００５９】
又、ハウジング５８の底部外面から突出する空気流入プラグ８０に、サブポンプ７４を接続して、ハウジング５８内に空気を送り込むことが可能となっている。そして、空気流入プラグ８０からハウジング５８内に送り込まれた空気は、ハウジング５８の底部内面を構成する底板８４の、少なくともハウジング５８の円筒壁内面に沿った位置に設けられた、噴出孔８６から噴出することで、ハウジング５８の通水スリット５８ａ及び外側ろ紙５６に詰まった異物を除去、洗浄することが可能となる。
【００６０】
そして、本浄水器７０の使用時には、空気流入プラグ８０にサブポンプ７４が常時接続されることで、紙ろ過器１２のハウジング５８の通水スリット５８ａ及び外側ろ紙５６に詰まった異物を除去、洗浄を、常時、適切なタイミングで行うことが可能となる。又、空気流入プラグ８０がサブポンプ７４に常時接続されることで、空気流入プラグ８０からハウジング５８内に、原水が不用意に流入することもない。サブポンプ７４による紙ろ過器１２のハウジング５８への空気の送り込みのタイミングは、原水の濁度にもよるが、２〜３時間に１回の割合で、かつ、１回あたり１〜２分が目安となる。
なお、紙ろ過器１２の洗浄手段７２については、図１〜図３に示される例にも採用可能である。その他、図１〜図３の例と同様の作用効果については、詳しい説明を省略する。
【実施例】
【００６１】
本発明者らは、特許文献１記載の擬似原水と同じく、珪藻土、水酸化マグネシウム等の各種縣濁物質と、河川水とを混合したものを原水に用い、本発明の実施の形態に係る浄水器１０のろ過能力を検証した。
浄水量についても、特許文献１記載の例と同様に、約６０Ｌ／時、紙ろ過器１２の線速度（ＬＶ）は２６ｍ３／ｍ２／日、砂ろ過器１６の水面積あたりのＬＶは４．５ｍ３／ｍ２／時、砂ろ過器１６の容積速度（ＳＶ）は約４５ｍ３／ｍ３／時とした。なお、砂ろ過器１６の、ろ過筒内部の空気層のＳＶは９０ｍ３／ｍ３／時とした。
【００６２】
上記条件下において、１０時間連続運転後の濁度除去性能は、擬似原水濁度１０２度、紙ろ過器１２の出口濁度３０度、砂ろ過器１６の出口濁度１度未満、膜ろ過器（ＵＦ膜）２０の出口濁度１度未満となり、特許文献１記載の例と同様のろ過性能を得るものであった。
又、このときの紙ろ過器１２の、ろ紙５６の汚れについても、ろ過面が均等に濁質を補足している様子が観察された。また、１０時間連続運転後においても、ろ紙５６の交換に支障を来たさないことが確認された。
【符号の説明】
【００６３】
１０、７０：浄水器、１２：紙ろ過器、１４：ポンプ、１６：砂ろ過器、１８：活性炭ろ過器、２０：膜ろ過器、２２：ベース、２４：ろ過装置アッセンブリー、  ３０、３２：配管、３８：キャリーケース、４０：背負いストラップ、４２：ハンドル、４４：キャスター、５４：円筒状支持部材、５４ａ：中央孔部、５６：ろ紙（外側ろ紙）、５６Ｂ：内側ろ紙、５８：ハウジング、５８ａ：通水スリット、６０：蓋、６２：集水管、６２ａ：通水スリット、  ６２ｂ、６２ｃ：端部、７２：ハウジングの底部、７４：サブポンプ、７６：ホース、７８：ハウジングの底部、８０：空気流入プラグ、８２：封止プレート、８４：底板、８６：噴出孔
【図１】
0005555297.tif 000002
【図２】
0005555297.tif 000003
【図３】
0005555297.tif 000004
【図４】
0005555297.tif 000005
【図５】
0005555297.tif 000006
【図６】
0005555297.tif 000007
【図７】
0005555297.tif 000008